(57)【要約】【課題】  告知放送の送信時に放送者が端末側に対し告知放送を録音させるかどうかを選択可能な告知放送システムを提供すること。【解決手段】  告知放送の伝送機能を備えたセンタ装置３と、センタ装置３からの告知放送を受信する告知放送受信機１６とを接続して構成した告知放送システムにおいて、センタ装置３は告知放送に録音可否データを付加する制御部４と、録音可否データが付加された告知放送を告知放送受信機１６に送信する告知放送送信部１２を有し、告知放送受信機１６は受信した告知放送の音声情報を出力する出力手段と、告知放送の音声情報を録音する録音手段３０とを有し、録音手段３０は受信した告知放送に付加された録音可否データが録音許可を示す場合に告知放送の音声情報を録音する。【選択図】  図２
2006279386.tif 000002
【特許請求の範囲】
【請求項１】
告知放送の伝送機能を備えたセンタ装置と、該センタ装置からの告知放送を受信する告知放送受信機とを接続して構成した告知放送システムにおいて、
上記センタ装置は上記告知放送に告知放送の音声情報の録音可否を示す録音可否データを付加する制御部と、上記録音可否データが付加された告知放送を上記告知放送受信機に送信する告知放送送信部とを有し、
上記告知放送受信機は受信した告知放送の音声情報を出力する出力手段と、上記告知放送の音声情報を録音する録音手段とを有し、該録音手段は受信した告知放送に付加された録音可否データが録音許可を示す場合に上記告知放送の音声情報を録音することを特徴とする告知放送システム。
【請求項２】
上記告知放送受信機は自己の属するグループを記憶したグループ記憶部を有し、上記センタ装置の制御部は上記告知放送受信機のグループ毎に上記録音可否データを設定すると共に、当該設定された録音可否データを告知放送に付加して上記告知放送送信部から上記告知放送受信機に送信することを特徴とする請求項１記載の告知放送システム。
【請求項３】
上記センタ装置の制御部は上記告知放送に告知放送の音声情報の保存期間を示す保存期間データを付加して上記告知放送送信部から上記告知放送受信機に送信し、上記告知放送受信機の録音手段は受信した告知放送に付加された録音可否データが録音許可を示す場合に上記告知放送の音声情報を録音すると共に、上記保存設定データにより設定された期間の経過時に当該告知放送の音声情報を消去することを特徴とする請求項１または２記載の告知放送システム。
【請求項４】
上記センタ装置の制御部は上記告知放送に告知放送の重要度を示す種別データを付加して上記告知放送送信部から上記告知放送受信機に送信し、上記告知放送受信機は上記録音手段により上記告知放送の音声情報が録音される音声メモリを有し、上記録音手段は受信した告知放送に付加された録音可否データが録音許可を示す場合であって、上記音声メモリに空きがない場合、受信した告知放送よりも重要度が低い告知放送が録音されていれば、その告知放送の音声情報を消去して受信した告知放送の音声情報を録音することを特徴とする請求項１〜３のいずれか１項に記載の告知放送システム。
【請求項５】
上記告知放送受信機は上記録音手段により録音された告知放送をその重要度が高い順に再生する再生手段を有してなることを特徴とする請求項４記載の告知放送システム。
【発明の詳細な説明】
【技術分野】
【０００１】
本発明は、センタから端末に対して各種の告知放送を行う告知放送システムに関し、特に端末における告知放送の録音可否をセンタで選択可能な告知放送システムに関する。
【背景技術】
【０００２】
従来、集合住宅や戸建て住宅で用いられる告知放送システムは、告知放送の伝送機能を有するセンタ装置と、端末側である各集合住宅に設けられる告知放送受信機とを例えばＣＡＴＶ線路を利用して接続して構成されていた。そして、センタ側から端末側に向けて各種の告知放送を行うようにしていた。告知放送には天災や火災等の非常時の避難や防災についての緊急性を有する緊急放送や、連絡や催し物の案内等に関するものであって緊急性を要しない一般告知放送、更には学校別・サークル別の連絡などグループを選別して告知放送を行うグループ告知放送等の種類がある。
【０００３】
また、告知放送受信機には告知放送の録音機能が備えられており、端末加入者が告知放送時に留守の場合であっても、告知放送を録音しておくことで告知放送を聞くことができる。このような告知放送システムとしては、例えば特許文献１に記載されているものがある。
【特許文献１】特開平９−８７５３号公報
【発明の開示】
【発明が解決しようとする課題】
【０００４】
しかしながら、録音再生機能を有する受信機であっても、録音可能な放送数は限られており、例えば最大３放送だとすると、それ以上の放送があったときは古いものを消去して録音することになる。したがって、既に重要な告知放送が録音されている場合であっても最大録音放送数を超えてしまうと、新規の重要性を有しない告知放送を録音するために重要告知放送が消去されてしまう。
【０００５】
本発明は上記課題を鑑みてなされたものであり、重要度の低い告知放送を録音するために重要度の高い告知放送が消去されることを防止することができる告知放送システムを提供することを目的とする。
【課題を解決するための手段】
【０００６】
上記課題を解決するため、本発明に係る告知放送システムは、告知放送の伝送機能を備えたセンタ装置と、該センタ装置からの告知放送を受信する告知放送受信機とを接続して構成した告知放送システムにおいて、
上記センタ装置は上記告知放送に告知放送の音声情報の録音可否を示す録音可否データを付加する制御部と、該制御部により上記録音可否データが付加された告知放送を上記告知放送受信機に送信する告知放送送信部とを有し、
上記告知放送受信機は受信した告知放送の音声情報を出力する出力手段と、上記告知放送の音声情報を録音する録音手段とを有し、該録音手段は受信した告知放送に付加された録音可否データが録音許可を示す場合に上記告知放送の音声情報を録音することを特徴として構成されている。
【０００７】
また、本発明に係る告知放送システムは、上記告知放送受信機は自己の属するグループを記憶したグループ記憶部を有し、上記センタ装置の制御部は上記告知放送受信機のグループ毎に上記録音可否データを設定すると共に、当該設定された録音可否データを告知放送に付加して上記告知放送送信部から上記告知放送受信機に送信することを特徴として構成されている。
【０００８】
さらに、本発明に係る告知放送システムは、上記センタ装置の制御部は上記告知放送に告知放送の音声情報の保存期間を示す保存期間データを付加して上記告知放送送信部から上記告知放送受信機に送信し、上記告知放送受信機の録音手段は受信した告知放送に付加された録音可否データが録音許可を示す場合に上記告知放送の音声情報を録音すると共に、上記保存設定データにより設定された期間の経過時に当該告知放送の音声情報を消去することを特徴として構成されている。
【０００９】
さらにまた、本発明に係る告知放送システムは、上記センタ装置の制御部は上記告知放送に告知放送の重要度を示す種別データを付加して上記告知放送送信部から上記告知放送受信機に送信し、上記告知放送受信機は上記録音手段により上記告知放送の音声情報が録音される音声メモリを有し、上記録音手段は受信した告知放送に付加された録音可否データが録音許可を示す場合であって、上記音声メモリに空きがない場合、受信した告知放送よりも重要度が低い告知放送が録音されていれば、その告知放送の音声情報を消去して受信した告知放送の音声情報を録音することを特徴として構成されている。
【００１０】
そして、本発明に係る告知放送システムは、上記告知放送受信機は上記録音手段により録音された告知放送をその重要度が高い順に再生する再生手段を有してなることを特徴として構成されている。
【発明の効果】
【００１１】
本発明に係る告知放送システムによれば、センタ装置は告知放送に録音可否データを付加する制御部と、録音可否データが付加された告知放送を送信する告知放送送信部とを有し、告知放送受信機は告知放送の音声情報を出力する出力手段と、告知放送の音声情報を録音する録音手段とを有し、録音手段は受信した告知放送に付加された録音可否データが録音許可を示す場合に告知放送の音声情報を録音することにより、放送者が告知放送の送信前に放送内容の重要度を考慮して録音の可否を選択することができるので、重要度の低い告知放送を行う場合には録音禁止を示す録音可否データを付加することで、既に録音されている重要告知放送が消去されることを防止することができる。
【００１２】
また、本発明に係る告知放送システムによれば、告知放送受信機は自己の属するグループを記憶したグループ記憶部を有し、センタ装置の制御部は告知放送受信機のグループ毎に録音可否データを設定すると共に、当該設定された録音可否データを告知放送に付加して告知放送送信部から告知放送受信機に送信することにより、地域毎や端末設置場所の種別毎などのグループ毎の録音可否設定をより詳細に容易に行うことができる。
【００１３】
さらに、本発明に係る告知放送システムによれば、告知放送受信機の録音手段は受信した告知放送に付加された録音可否データが録音許可を示す場合に告知放送の音声情報を録音すると共に、保存設定データにより設定された期間の経過時に当該告知放送の音声情報を消去することにより、録音を許可する告知放送をその重要度に合わせて保存期間を設定することができるので、録音放送数が限られているメモリを効率よく使用することができる。
【００１４】
さらにまた、本発明に係る告知放送システムによれば、告知放送受信機の録音手段は受信した告知放送に付加された録音可否データが録音許可を示す場合であって、音声メモリに空きがない場合、受信した告知放送よりも重要度が低い告知放送が録音されていれば、その告知放送の音声情報を消去して受信した告知放送の音声情報を録音することにより、告知放送の録音を許可する場合であっても、より重要な告知放送が既に録音されている場合には上書きされないので、重要告知放送が消去されることを確実に防止することができる。
【００１５】
そして、本発明に係る告知放送システムによれば、告知放送受信機は録音手段により録音された告知放送をその重要度が高い順に再生する再生手段を有してなることにより、重要な緊急告知放送から確認することができるので、利用者の利便性を向上させることができる。
【発明を実施するための最良の形態】
【００１６】
本発明の実施形態について図面に添って詳細に説明する。図１は本実施形態における告知放送システムの構成を示すブロック図である。まず、本実施形態におけるシステム構成について説明する。１は信号線としての伝送線路であり、この実施例にあってはＣＡＴＶシステムの同軸ケーブルを利用しており、このためセンタ側にはヘッドエンド２が設けられ、ヘッドエンド２よりテレビ信号を端末側に伝送している。伝送線路１上には、伝送信号を増幅するために適宜、伝送信号増幅器２９が設けられている。ヘッドエンド２側となるセンタ側にはセンタ装置３が設けられ、伝送線路１の端末側には分岐器１５の分岐端子を介して複数の告知放送受信機１６、１６が接続される。
【００１７】
センタ装置３はデータ処理及びデータ伝送制御を行う制御部４と、各告知放送受信機１６に告知放送を送信する告知放送送信部１２とから構成される。制御部４には放送信号の設定入力を行うディスプレイ９、プリンタ１０及びキーボード１１等が接続される。制御部４はマイク１３やＢＧＭ源３３による音声信号を告知放送送信部１２に送信し、この音声信号は告知放送送信部１２でＦＭ変調される。告知放送送信部１２からの出力はヘッドエンド２を介して伝送線路１に与えられる。ここで、制御部４はマイク１３やＢＧＭ源３３による音声信号の他、テープレコーダ等による音響装置からの放送信号を送信することもできる。あるいは、キーボード１１から入力されディスプレイ９に表示される文字データを符号化して放送信号として送出することもできる。さらに、ディスプレイ９を介して入力される映像によるイメージデータに適当な符号化を施して放送信号として送信することもできる。
【００１８】
図２は制御部４から送信される告知放送のフレーム構成を示したものである。制御部４から送信される告知放送は、告知放送受信機１６のスピーカ２５にて放送される音声情報と、告知放送受信機１６が告知放送の音声情報を制御するための制御情報とから構成される。告知放送の制御情報には告知放送の対象となるアドレスデータと、告知放送の種類を示すデータと、告知放送の音声情報の録音可否を示す録音可否データと、放送開始／終了データが含まれる。
【００１９】
制御部４からは、最初に放送開始の制御情報を送信し、続いて音声情報、最後に放送終了の制御情報を送信する。制御情報の設定はキーボード１１の操作により行われ、告知放送の対象となる端末のアドレス指定と、送信する告知放送が緊急告知放送であるか一般告知放送であるかの放送種別の設定と、送信する告知放送を告知放送受信機１６において録音させるかどうかの録音設定を行う。
【００２０】
アドレス設定には、全加入端末を放送対象とする全端末一斉指定と、サービス地域やマンション等のグループ単位でブロック分けしたグループ指定と、個別に加入端末を指定する個別指定とがある。グループ指定の場合には、キーボード１１によりグループアドレスを入力することにより行う。そして、放送種別においては緊急告知放送のほうが一般告知放送よりも重要度が高く、対象端末指定においては重要度の高い順に全端末一斉指定、グループ指定、個別指定であることから、放送種別及び対象端末の設定により告知放送をその重要度で分類することができる。すなわち、告知放送の制御情報には告知放送の重要度を示す種別データが含まれる。
【００２１】
録音設定は上述のアドレス指定された告知放送受信機１６に対して告知放送を録音するか否かをキーボード１１により録音可否データとして入力することで行う。録音を許可する場合には、当該告知放送をどれだけの期間保存させるか設定することができる。保存期間設定は、例えば保存日数等をキーボード１１の操作により保存期間データとして入力することにより行う。また、保存期間を設定しないことで録音した告知放送を消去しないようにすることもできる。
【００２２】
そして、告知放送の開始もしくは終了時刻をカレンダー回路３７から読み出し、告知放送の音声情報の最初もしくは最後に音声にて送信する。放送時刻は音声ではなく、データとして送ってもよい。なお、このカレンダー回路３７は告知放送受信機１６側で持っていてもよい。
【００２３】
図３は告知放送の送信処理について示したフローチャートである。告知放送の送信処理は、図３のフローチャートに従って行われる。この図に示すように、まず制御部４はキーボード１１の操作で、もしくは予め設定しておいた告知放送の送信時刻がきて告知放送モードとされたか否かを判断する（ＴＳ１）。そしてキーボード１１入力に従って、告知放送を緊急告知放送であるか一般告知放送であるかの種別設定を行う（ＴＳ２）。次に、告知放送の対象となる告知放送受信機１６のアドレス指定を行う（ＴＳ３）。この放送対象となる端末アドレスの設定は、キーボード１１により入力することで行う。
【００２４】
次にＴＳ３において指定された告知放送受信機１６に対して告知放送を録音させるか否かの設定を行う（ＴＳ４）。録音設定は録音許可または録音禁止のどちらかを選択することにより行われる。ここで、録音禁止を選択入力した場合には、放送開始データの設定は終了し、ＴＳ７の音声情報設定を行う。
【００２５】
録音許可を選択入力した場合には告知放送の保存期間設定を行い（ＴＳ５）、放送開始データの設定は終了する。放送開始データの設定が終了すると、続いてマイク１３やＢＧＭ源３３により音声情報の入力を行う（ＴＳ６）。次に、放送対象となる端末アドレスとストップ信号とからなる放送終了データを設定し（ＴＳ７）、告知放送の設定が終了する。告知放送の設定が終了すると告知放送受信機１６に送信され（ＴＳ８）、センタ装置３側の送信処理が終了する。
【００２６】
本実施形態では告知放送受信機１６に送信する告知放送の制御情報に予め録音可否を設定することとしたので、放送者が放送する内容を考慮して告知放送を各告知放送受信機１６に録音させるかどうかを選択することができる。すなわち、重要性を有しないと思われる告知放送には録音禁止を選択設定することにより告知放送受信機１６に既に録音されている告知放送が消去されることはない。また、アドレス設定をグループ指定した場合には、そのグループ毎に録音可否を設定することができるので、グループの地域や設置場所の種類に応じてきめ細かい設定ができ、また設定操作が容易である。なお、キーボート１１等を使ってグループ毎に録音の要否を予め決定しておけば、告知放送を送信する際に、グループアドレスを選択すると自動的に録音可否が設定されるので、設定操作が容易となる。さらに告知放送の種別毎に予め録音要否の初期選択値を設定しておいてもよい。
【００２７】
また、制御部４は一般電話回路網５０にも接続されており、一般家庭電話、携帯電話等の電話機５１から放送日時、告知内容、放送グループ等を事前に登録することによって、指定した時間に自動的に告知放送を行うことができる。
【００２８】
次に伝送線路１の端末に設けられる告知放送受信機１６について説明する。図４に告知放送受信機１６のブロック図を示す。この図に示すように、告知放送受信機１６はセンタ装置３から送信された告知放送を受信復調する復調部２２と、この復調した告知放送に含まれる制御情報に基づき制御するマイコン１７が設けられる。マイコン１７は自端末の個別アドレスを記憶した個別記憶部１８と、自己の属するグループのグループアドレスを記憶したグループ記憶部１９とを有している。そして、復調部２２で復調された音声情報の出力手段として、音声情報を増幅する音声アンプ２４と、スピーカ２５を有し、音声アンプ２４の前段にはスピーカ２５からの音量を調整するための音量調整部２８が備えられる。
【００２９】
また、告知放送受信機１６は、受信した告知放送の音声情報を記憶する音声メモリ３１と、音声メモリ３１に告知放送を記憶させる録音手段３０とを有している。録音手段３０は復調部２２から出力される告知放送の音声情報を録音データに変換して音声メモリ３１に記憶させる録音処理を行う。
【００３０】
センタ装置３からの告知放送は全加入端末に送信される。そして、告知放送受信機１６のマイコン１７は告知放送の制御情報に指定された端末アドレスが個別記憶部１８又はグループ記憶部１９に記憶されている個別アドレス又はグループアドレスと一致する場合に自端末が放送対象であると判断する。すなわち、マイコン１７は受信した告知放送の制御情報から自端末が放送対象として指定されているか否かを判別し、指定されていれば、出力手段に音声情報出力の指令信号を出力すると共に録音手段３０に録音動作の指令信号を出力する。
【００３１】
また、復調部２２にて復調された制御情報は、マイコン１７に設けられたメモリ３９に記憶され、音声メモリ３１の音声情報と対応が保持され、告知放送の再生、録音、消去に使用される。
【００３２】
図５は告知放送受信機における告知放送処理を示したフローチャートである。この図に示すようにマイコン１７は、まず受信した告知放送に自端末が放送対象として指定されているか否かを判断する（ＲＳ１）。そして、指定されている場合には告知放送の制御情報に含まれる録音可否データから告知放送の録音可否を判別する（ＲＳ２）。そして、録音可否データが録音許可を示す場合には音声メモリ３１に空きがあるか否か判別し（ＲＳ３）、音声メモリ３１に空きがある場合には、出力手段及び録音手段３０に制御信号を出力し、音声情報をスピーカ２５にて放送出力すると共に音声メモリ３１に音声情報を録音し（ＲＳ４）、空きがない場合には放送出力を行うと共に音声メモリ３１に音声情報を上書き録音する（ＲＳ５）。ＲＳ２において録音可否データが録音禁止を示す場合には放送出力のみを行い（ＲＳ６）、音声メモリ３１には録音しない。
【００３３】
すなわち、マイコン１７は告知放送の制御情報に含まれる録音可否データが録音許可を示す場合には受信した音声情報を放送出力すると共に音声メモリ３１に録音又は上書き録音し、録音許可データが録音禁止を示す場合には音声情報の放送出力のみを行い音声メモリ３１には録音しない。そして、マイコン１７は録音された告知放送の音声情報を保存期間データにより設定された期間の経過時に消去する。
【００３４】
またＲＳ５の動作において、告知放送の制御情報に含まれる種別データを比較し、新規の告知放送よりも重要度が低い告知放送が録音されている場合には、その告知放送を消去して新規の告知放送を録音し、新規の告知放送よりも重要度が低い告知放送が音声メモリ３１に録音されていなければ新規の告知放送を録音しないようにしてもよい。これにより、録音可否データが録音許可を示す場合であっても、既に音声メモリ３１に録音されているより重要な告知放送が消去されることを防止することができる。
【００３５】
また、マイコン１７には告知放送の出力を切り替える音声切替部３６が接続されている。音声切替部３６はマイコン１７により制御されて、復調部２２で受信した告知放送の出力と音声メモリ３１に記憶されている告知放送の再生出力とを切り替えることができる。
【００３６】
また、マイコン１７には音声メモリ３１における告知放送の録音状態を知らせるための告知ランプが接続されている。告知ランプは緊急告知放送用の緊急告知ランプ３５と一般告知放送用の一般告知ランプ３４が備えられている。また、マイコン１７には、音声メモリ３１に記憶された告知放送の音声情報を再生出力させるための再生スイッチ３８が接続されている。
【００３７】
一般告知ランプ３４もしくは緊急告知ランプ３５は告知放送の録音中は点灯し、告知放送の録音が終了すると点滅状態に切り替えられる。そして、録音された告知放送を再生するための再生スイッチ３８が押された場合に消灯する。したがって、一般告知ランプ３４もしくは緊急告知ランプ３５は、告知放送の受信録音が再生スイッチ３８の操作で確認されない限り点滅状態を保つため、端末利用者が留守の間に告知放送があった場合でも、告知放送があったことを容易に知ることができる。
【００３８】
録音されている告知放送を再生させる再生スイッチ３８が押されると、再生手段であるマイコン１７は音声メモリ３１に記憶された告知放送をその重要度の高い順に選択し、スピーカ２５から再生する。すなわち端末利用者は、重要な緊急告知放送等から聞くことができるので、未確認の告知放送を確認するための時間を長くとれない場合等に便利である。
【００３９】
以上、本発明の実施形態について説明したが、本発明の適用はこれら実施形態には限られず、その技術的思想の範囲内において様々に適用されうるものである。例えば、告知放送の送信処理は、まず放送開始データを送信して告知放送受信機１６を音声情報の受信及び出力が可能な状態とし、マイク１３やＢＧＭ源３３により直接告知放送を行い、告知放送の終了時に放送終了データを送信することによって告知放送を終了させるようにしてもよい。
【図面の簡単な説明】
【００４０】
【図１】本実施形態における告知放送システムの構成を示すブロック図である。
【図２】センタ装置からの告知放送のフレーム構成図である。
【図３】告知放送の設定を示すフローチャートである。
【図４】告知放送受信機の構成を示すブロック図である。
【図５】告知放送受信機における告知放送処理を示すフローチャートである。
【符号の説明】
【００４１】
１    伝送線路
３    センタ装置
４    制御部
１２    告知放送送信部
１６    告知放送受信機
１７    マイコン
１８    個別記憶部
１９    グループ記憶部
２２    復調部
２４    音声アンプ
２５    スピーカ
２８    音量調整部
３０    録音手段
３１    音声メモリ
３８    再生スイッチ
３９    メモリ
５０    一般電話回路網
５１    電話機
【図１】
2006279386.tif 000003
【図２】
2006279386.tif 000004
【図３】
2006279386.tif 000005
【図４】
2006279386.tif 000006
【図５】
2006279386.tif 000007